(57)【要約】【課題】スタンス幅による微調整を行えない。【解決手段】横長矩形状の基板１と、該基板１の両端部に設けた側板２、2aと、該側板２、2aの上端側に設けた確認板３、3aとを有し、該確認板３、3aは上記側板２、2aの幅方向に長く、先端部を側板２、2aの一側部より突出させる。このスウェー・突っ込みの確認器具の前方に使用者を立たせ、確認板３、3aの先端部だけを使用者の膝付近の外側に配置することで、確認板３、3aと膝との間隔の調整に基板１及び側板２が邪魔にならず、例えば確認板３、3aの外側面より外側に足の外縁側の一部を位置させることが可能になる。【選択図】図１
2010172463.tif 000002
【特許請求の範囲】
【請求項１】
横長矩形状の基板と、該基板の少なくとも一端部に設けた側板と、該側板の上端側に設けた確認板とを有し、該確認板は上記側板の幅方向に長く、先端部を側板の一側部より突出させたことを特徴とするゴルフスイング時のスウェー・突っ込みの確認器具。
【請求項２】
上記側板を基板の両端部に設け、該基板を長手方向に伸縮自在としたことを特徴とする請求項１記載のゴルフスイング時のスウェー・突っ込みの確認器具。
【請求項３】
上記側板の基端部を上記基板に対し内側へ折り畳み可能で且つ起立時にその状態に維持可能となる様に蝶着したことを特徴とする請求項１又は２記載のゴルフスイング時のスウェー・突っ込みの確認器具。
【請求項４】
上記蝶着構造に、外側へ傾動可能で起立状態に自動復帰可能な機能を具備させたことを特徴とする請求項３記載のゴルフスイング時のスウェー・突っ込みの確認器具。
【請求項５】
上記確認板を上記側板に対し回動且つ固定可能に取り付けたことを特徴とする請求項１、２、３又は４記載のゴルフスイング時のスウェー・突っ込みの確認器具。
【請求項６】
上記確認板の突出量を調節可能にしたことを特徴とする請求項１、２、３、４又は５記載のゴルフスイング時のスウェー・突っ込みの確認器具。
【請求項７】
上記確認板の高さ位置を調節可能にしたことを特徴とする請求項１、２、３、４、５又は６記載のゴルフスイング時のスウェー・突っ込みの確認器具。
【発明の詳細な説明】
【技術分野】
【０００１】
本発明は、素振り時又はショット時（ドライビングレンジ又は室内）に補助的に用いることにより、スイング時におけるテークバック時に身体が後方へ移動する、所謂『スウェー』や、トップからの切り返しからインパクトまでに身体が前方へ移動する、所謂『突っ込み』（以降、スウェー等と称する）があったか否かを確認するための器具に関する。
【背景技術】
【０００２】
従来、スイング時のスウェー等を抑えて、体重移動を正しく行える様にするゴルフスイングの矯正装置が見受けられる。
例えば、実開昭６４−４９２７２号公報（特許文献１）には、ゴルフスイングの練習者の足を載せる基台を形成し、同基台上に所定の高さの略垂直な壁部材を折畳み自在に装設することによって、この基台上に足を載せることによって、所要の定位置が定められると共に、体重で同基台の動きが止められる矯正装置が記載されている。
そして、基台上に上記壁部材を突設することにより、上記ゴルフスイングにおいて軸足側が移動しようとしても同壁部材によってその動きが機械的に阻止され、必然的にこの壁部材に沿って左サイド（左打ちの場合には右サイド）の「壁」に相当するものが形成されることになり、ゴルフスイングの練習の際に、常にこの軸足側の動きに注意を払う様になり、この結果としてゴルフスイングにおける重心移動を正しくする様に矯正することが出来る。
【０００３】
しかし、上記特許文献１のものにあっては、軸足側が移動しようとしても壁部材によってその動きが機械的に阻止されることから、軸足側の動かない様に意識するようになるが、動いてしまった場合には、壁部材に脚の外側が当たって練習者がケガを負ったり、壁部材自体が折損する可能性が高く、延いてはその弾みでスイング自体が乱れ身体のバランスが崩れて、手首、腰、背中などを痛める危険性があった。
【０００４】
そこで、両足の外側に棒を立てることで、スウェー等が出てしまった場合に、足、膝が棒に当たるため、その場で意識的にスウェー等を矯正できる様にしたものも見受けられる（例えば、特許文献２参照）。
【先行技術文献】
【特許文献】
【０００５】
【特許文献１】実開昭６４−４９２７２号公報
【特許文献２】登録実用新案第３０２９９８３号公報
【発明の概要】
【発明が解決しようとする課題】
【０００６】
しかし、スタンス幅によって脚部の角度が変わったり、使用者、使用クラブ、想定状況などによって足の角度が変わるが、上記特許文献２のものでは上記状況変化により棒と膝との間隔も変わってしまうため、当該間隔のスタンス幅などの状況変化による微調整を行えないなど、解決せねばならない課題があった。
【課題を解決するための手段】
【０００７】
本発明は、上記従来技術に基づく、スタンス幅などの状況変化による微調整を行えない課題に鑑み、横長矩形状の基板と、該基板の少なくとも一端部に設けた側板と、該側板の上端側に設けた確認板とを有し、該確認板は上記側板の幅方向に長く、先端部を側板の一側部より突出させたことによって、本発明に係るスウェー・突っ込みの確認器具を使用者の背後にセットする、即ち使用者はスウェー・突っ込みの確認器具の前方に位置し、確認板の先端部だけを使用者の前脚の膝付近の外側に配置することで突っ込みの有無を確認でき、後脚の膝付近の外側に配置することでスウェーの有無を確認でき、確認板と膝との間隔の調整に基板及び側板が邪魔にならず、必要に応じて確認板より外側に足の外縁を位置させることをも可能にする様にして、上記課題を解決する。
【発明の効果】
【０００８】
要するに本発明は、横長矩形状の基板と、該基板の少なくとも一端部に設けた側板と、該側板の上端側に設けた確認板とを有し、該確認板は上記側板の幅方向に長く、先端部を側板の一側部より突出させたので、かかるスウェー・突っ込みの確認器具を練習者の背部に設置し、上記確認板の先端を使用者の前脚の膝付近の外側にセットすれば突っ込みの有無を確認でき、後脚の膝付近の外側に配置セットすればスウェーの有無を確認でき、而も確認板の下方には何もなく、側板が邪魔にならないため、正確なスタンスをとりつつ確認板をセットすることが出来る。
【０００９】
スウェー及び突っ込みの両方を確認したい場合、体格、使用クラブの種類等によりスタンス幅が違ってくることから、確認板の間隔、即ち両側板の間隔を調整する必要があるが、上記側板を基板の両端部に設け、該基板を長手方向に伸縮自在としたので、側板の間隔を調整可能にすることが出来ると共に、未使用時、持ち運び時にコンパクト化することが出来るため、取扱性の向上を図ることができる。
【００１０】
而も、上記側板の基端部を上記基板に蝶着して折り畳み可能としたので、未使用時に更にコンパクト化することが出来、更に上記確認板を上記側板に対し回動且つ固定可能に取り付けたので、側板を折り畳み可能にすることと相俟って、未使用状態が複数枚の矩形状の板材が重なった状態に納まって更にコンパクト化することが出来るため、持ち運びを容易化出来、よって練習場の各ブースに常時設置することは勿論、各練習者が持参して練習場等に運び込み簡単にセットすることが出来る。
【００１１】
上記蝶着構造に、外側へ傾動可能で起立状態に自動復帰可能な機能を具備させたので、側板に内側からの外力が作用しても、器具側での抵抗を無くすことができるため、器具自体の破損防止の他、スイング中の違和感を抑制することができ、外力解除後に自動復帰するため、別途調整作業しなくても連続使用することができる。
【００１２】
上記確認板の突出量を調節可能にしたり、上記確認板の高さ位置を調節可能にしたので、スタンス位置に対する設置場所の遠近及び高低に対応可能で、両足に対する確認板の先端位置が調節可能なため、ニーズに応じた練習環境を整えることが簡単に出来る等その実用的効果甚だ大である。
【図面の簡単な説明】
【００１３】
【図１】本発明に係るゴルフスイング時の突っ込み・スウェーの確認器具の使用状態を示す背面斜視図である。
【図２】図１の確認器具の使用状態を示す背面図である。
【図３】図１の確認器具の分解斜視図である。
【図４】図１の確認器具の折り畳み状態を示す斜視図である。
【図５】側板の起立状態時の蝶着部の拡大断面図である。
【図６（ａ）】蝶着部における折り畳み途中状態を示す拡大断面図である。
【図６（ｂ）】蝶着部における折り畳み状態を示す拡大断面図である。
【図７（ａ）】側板の起立状態時の自動復帰手段の拡大断面図である。
【図７（ｂ）】側板の外側傾斜状態時の自動復帰手段の拡大断面図である。
【図８】側板の外側傾斜状態時の蝶着部の拡大断面図である。
【発明を実施するための最良の形態】
【００１４】
以下本発明の一実施例を図面に基づき説明する。
本発明に係る突っ込み・スウェーの確認器具にあっては、主に横長矩形状の基板１と、該基板の両端部に設けた一対の側板２、2aと、該側板２、2aの上端側に設けた確認板３、3aとを有し、該確認板３、3aは上記側板２、2aの幅方向に長く、先端部を側板２、2aの一側部より突出させている。
【００１５】
上記基板１にあっては、長手方向に伸縮自在とし、裏面に滑り止め（図示せず）を有し、一側端面中央に把手５を一体形成している。
具体的には、一端側が開口する矩形状の扁平ケース６と、該扁平ケース６内にスライド可能に収容されたスライド板７とで構成され、扁平ケース６及びスライド板７の外端部に上記側板２、2aを取り付けて、基板１の伸縮により側板２、2a間を拡縮させる様にしている。
【００１６】
上記側板２、2aの中央に長手方向に長いスライド孔８、8aを形成し、上記確認板３、3aの中央に長手方向に長いスライド孔９、9aを形成し、一方の側板２のスライド孔８と一方の確認板３のスライド孔９にボルト10を挿通すると共に、その突端部にナット11を螺嵌し、他方の側板2aのスライド孔8aと他方の確認板3aのスライド孔9aにボルト10a を挿通すると共に、その突端部にナット11a を螺嵌している。
そして、上記構造にすることで、図１に示す様に、確認板３、3aを側板２、2aに対し回動且つ固定可能にし、確認板３、3aの突出量を調節可能にし、確認板３、3aの高さ位置を調節可能にし、ナット11、11a を緩めることで側板２、2aに対し確認板３、3aを所望位置に動かすことが可能になり、ナット11、11a を締めることで、側板２、2aに対し確認板３、3aを固定することが可能になる。
【００１７】
上記側板２、2aの基端部を上記基板１に、内側へ折り畳み可能で且つ起立時にその状態に維持可能に蝶着し、更に内側から外側への外力作用により傾動し除荷後に起立状態に自動復帰可能としている。
具体的には、基板１と各側板２、2aとを２箇所の蝶着部15、15a で連結し、各蝶着部15、15a は基板１側に設けた一対の軸支板16、16a と、該軸支板16、16a 間に配置する、各側板２、2aの下端に一体形成した倒伏円筒体17と、該倒伏円筒体17を横貫し両端部を軸支板16、16a に枢支した軸体18とを有している。
【００１８】
上記基板１における倒伏円筒体17の下方に、下動可能にして初期位置に自動復帰するストッパー20を配設し、起立状態と折り畳み状態状態でのストッパー20の嵌合凹部21、21a を倒伏円筒体17の外周面に形成して、側板２、2aを起立状態及び折り畳み状態に維持可能にしている。
具体的には、基板１の上面における軸支板16、16a 間部位に凹部22内に配置した弾性部材23と該弾性部材23の中央上部に一体形成したストッパー本体24とを有し、ストッパー20の下動時に変形した弾性部材23の弾性復元力により初期位置に自動復帰可能にしている。
【００１９】
上記基板１における蝶着部15、15a 間の部分に、外側傾斜した側板２、2aを初期位置に自動復帰させる手段25を設け、該自動復帰手段25は基端部を基板１に一体化すると共に、先端部を各側板２、2aの下端に当接させた、少なくとも基板１との連結部位に弾性を有する下方湾曲状の押圧板としている。
【００２０】
次に、本発明に係るウェー・突っ込みの確認器具の作用について説明する。
先ず、使用者の背後にセットした後、側板２、2aを起立状態とすると共に、確認板３、3aを回転させて水平姿勢にし、使用者の体格に合わせて確認板３、3aの高さ及び突出寸法を調節した後、緩んだ状態のナット11、11a を締めて、側板２、2aに対し確認板３、3aを固定する。
次に、収縮状態の基板１における扁平ケース６からスライド板７を引き出して、確認板３、3aの先端部分を、図２に示す様に、使用者の前後脚ＲＦ、ＲＲの左右膝の一方又は両方の下方外側部分に当てるか若干隙間をあけた状態になる様に、使用者のスタンス幅に合わせて基板１を伸長させる。
【００２１】
そして、確認板３、3aに当たらない様にスイングし、当たってしまった場合にスイング中にスウェー等があったことを使用者が確実に認識可能となる。
而も、スイング中にスウェー等が出て前後脚ＲＦ、ＲＲが確認板２に当たっても、側板２、2aと確認板３、3aのどちらか一方又は両方が外側に撓み、更に側板２、2aが外方傾斜するため、身体側にダメージが全くなく、スイング自体が途中で乱れることもない。
【００２２】
起立時の側板２、2aは、図５に示す様に、側板２、2a側の倒伏円筒体17における一方の嵌合凹部21に、基板１側のストッパー20が嵌合状態になるため、側板２、2aが起立状態に維持され、側板２、2aを内側に強制的に倒すと、ストッパー20が回転する倒伏円筒体17に押されて徐々に下動して、図６（ａ）に示す様に、ストッパー20が一方の嵌合凹部21から完全に外れ、側板２、2aが完全に内側に倒されると、下動状態のストッパー20が側板２、2a側の倒伏円筒体17における他方の嵌合凹部21a に嵌合して、側板２、2aが折り畳み状態に維持される。
【００２３】
起立時の側板２、2aは、図７（ａ）に示す様に、自動復帰手段25の先端が側板２、2aの下端に当接状態で、内側からの外力作用により側板２、2aが外側傾斜すると、図７（ｂ）に示す様に、自動復帰手段25が下方押圧され弾性変形すると共に、図８に示す様に蝶着部15、15a における基板１側のストッパー20が、側板２、2a側の倒伏円筒体17の一方の嵌合凹部21から外れ、上記外力が解除されると、自動復帰手段25の弾性復元力により側板２、2aの下端を上方へ押し上げて該側板２、2aが起立状態に自動復帰し、基板１側のストッパー20が、側板２、2a側の倒伏円筒体17の一方の嵌合凹部21に嵌合状態となる。
【符号の説明】
【００２４】
１      基板
２、2a  側板
３、3a  確認板
【図１】
2010172463.tif 000003
【図２】
2010172463.tif 000004
【図３】
2010172463.tif 000005
【図４】
2010172463.tif 000006
【図５】
2010172463.tif 000007
【図６（ａ）】
2010172463.tif 000008
【図６（ｂ）】
2010172463.tif 000009
【図７（ａ）】
2010172463.tif 000010
【図７（ｂ）】
2010172463.tif 000011
【図８】
2010172463.tif 000012